(57)【要約】本発明による顎骨切除用鋸は、真っ直ぐ伸びる直線部と、前記直線部の先端より左右側のいずれかの方向及び下方向へ斜めに偏向され延びる屈折部とから構成されたシャンクと、その鋸刃が前記直線部と平行に配置され、前記シャンクの屈折部の先端に結合される鋸刃とからなる。本発明は、切除部位と外皮との顎線を肉眼で確認しながら顎骨を一度の切除作業を通して顔面と略平行な角度で斜めに切断し、かつ角張らないように切除できるので、熟練されていない場合においても顎骨を意図した通り短い時間内に、顎線を自然に矯正することができる。【選択図】図１１
2004527356.tif 000002
【特許請求の範囲】
【請求項１】
真っ直ぐ伸びる、その後端が取っ手のジョーに噛み合って固定される直線部と、前記直線部の先端より左右側のいずれかの方向及び下方向へ斜めに偏向され延びた屈折部とから構成されたシャンクと、
その鋸刃が垂直方向に向かいながら前期直線部と平行に配置され前記シャンクの屈折部の先端に結合される鋸刃部とを含んでなることを特徴とする顎骨切除用鋸。
【請求項２】
第１項において、
前記シャンクの屈折部は、前記直線部に対して３０℃乃至６０℃範囲内で下方向に偏向されることを特徴とする顎骨切除用鋸。
【請求項３】
第１項において、
前記シャンクの屈折部は、前記直線部に対して左右側のいずれかの方向へ３０度乃至６０℃偏向されることを特徴とする顎骨切除用鋸。
【発明の詳細な説明】
【技術分野】
【０００１】
本発明は、突出された顎を引っ込めるための成形手術時、突出された顎骨の両側の一部を切断することに使用される顎骨切除用鋸に関するものであって、特に鋸刃部がシャンクと平行に配置され直線往復運動をしながら顎骨を切除するように構成された顎骨切除用鋸に関する。
【背景技術】
【０００２】
人体の顎骨は、顔の口下に突出された部分として、左右幅と突出された部分とのバランスが良ければ、顔の輪郭が綺麗で柔らかい印象の顔つきに見える。ところが、突出程度が酷かったり、陥没したり、角張っていると容貌を損なう要因となる。特に左右幅が大きく、両側角に角張った、いわゆる、四角顎の場合には顔が大きく見えてしまうことにより頑固で強い印象を与えてしまい、人に拒絶反応を起こさせることさえもある。
【０００３】
これに対し、最近、顔の両側の下へ突出された、いわゆる四角顎の両側突出部分を引っ込ませ、顔の輪郭を細くすることによって、印象を柔らかくする成形手術が広く行われている。四角な顎の矯正手術は、顎骨両側の角の一部を切除する顎骨切除手術が主流をなしているが、この顎骨切除術は、顎を突出させるまたは角張らせる顎骨の突出部分を切断し突出の原因を根本的に除く為、矯正効果が著しいという長所がある。
【０００４】
一方、従来、四角な顎の矯正手術時、顎骨切除に使用されていた従来顎骨切除用鋸（１）は、図１に示されたように、細長い直線棒状の回転軸（１０）と、前記回転軸（１０）の先端に結合される楕円又は楕円形の鋸刃部(１１)とからなる。
【０００５】
これにより、図２と図３に図示されたように、従来顎骨切除用鋸は、その回転軸（１０）の後端が、取っ手（２）のジョー（Jaw）（２１）に結合され、取っ手（２）に内装された回転電動器具（図示しない）によりその先端の鋸刃部（１１）が回転軸と一体に所定角度範囲内で角運動しながら、図４と図５に示されたような角度から頭蓋骨（１００）の顎骨（１０１）の角を切断するようになる。
【０００６】
しかし、このような従来の顎骨切徐用鋸を使用する場合、その鋸刃部（１１）の回転半径が大きい為、顎の外皮を切開した後、その切開された部分を通じて顎骨（１０２）を切断しなければならないために、目に見える手術の痕を残すという問題点があった。それだけではなく、図５に示されたように、顔面に対し垂直に近い方向で顎骨を切断するので、側面から見た顎線は比較的に綺麗な曲線型に矯正することができるが、顔の輪郭の正面から見える（印象に最も大きな影響を及ぼす）顎線の矯正は不可能であるか、矯正をするとしても被手術者の顔の側面から正面の顔輪郭を肉眼で確認できない状態のまま顎骨を切断しなければならないため、相当熟練された場合においても顎線を意図した通り正確に矯正することのできない問題点があった。なお、顔面に略垂直方向に顎骨を切断すると、切断面が顔面に対して角張るが、その角張る問題を解消するために、幾度繰り返し少しずつ切断しなければならない為、手術が非常に難しくかつ手間がかかる問題点があった。結果的に、従来顎骨切除用鋸を、側方へ出た顎矯正に使用する場合、顎線を意図する通り綺麗に矯正することが非常に困難であった。それだけではなく、顎骨を顔表面の垂直方向に切断するので、切断過程において顎骨の内側に埋もれた筋肉組織や神経等を損傷する恐れが非常に高かった。
【発明の開示】
【０００７】
これに対し本発明は、上述したような従来の顎骨切除用鋸が誘発する問題点を解消するためのものである。
【０００８】
外皮を切開することなく口腔内側を切開し、顔の正面顎線を肉眼で確認しながら、顎骨を顔正面からそれた方向で切断できることによって、顔に顎線の痕を残さず、一層容易に矯正することができ、かつ非常に自然な顎線に矯正できる顎骨切除用鋸を提供することに目的がある。
【０００９】
本発明による顎骨切除用鋸は、真っ直ぐ延びており、その後端が取っ手のジョーに噛み合って固定される直線部と、前記直線部の先端より左右側のいずれかの方向及び下方向へ斜めに偏向され延びる屈折部とから構成されたシャンクと、その鋸刃が垂直下方へ向かいながら前期直線部と平行に配置され、前記シャンクの屈折部の先端に結合される鋸刃とを含んでなることを特徴とする。
【発明を実施するための最良の形態】
【００１０】
以下、本発明による顎骨切断用刃の構成及び作用、それによる効果を実施例を参照しながら詳しく説明する。
【００１１】
図６に示されたように、本発明の一実施例による顎骨切除用鋸（３）は細長い棒状のシャンク（３０）と、前記シャンク（３０）の先端に結合される鋸刃部（３１）とから構成されている。
【００１２】
前記シャンク（３０）は真っ直ぐ伸びた直線部（３０ａ）と前記直線部（３０ａ）先端から側方と下方間の方向に斜めに屈折された屈折部（３０ｂ）から構成されたクランク形のシャンクとして、図７に示されたごとく、その直線部（３０ａ）後端に成形された結合構造が取っ手（４）のジョー（jaw）（４１）に結合されることによって、その屈折部（３０ｂ）先端に結合される鋸刃部（３１）を取っ手（４）のジョー（４１）に所定の距離をおいて固定することになる。これに、取っ手（４）に内装された電動器具により直線往復運動するジョー（４１）の直線運動往復エネルギーを鋸刃部（３１）に伝達する。
【００１３】
このようなシャンク（３０）において、その前方の屈折部（３０ｂ）は口腔内の皮膚を最少長さに切開して顎骨を切断できるように成形された構造として、直線部（３０ａ）に対して左右側のいずれかへ偏向されると共に、下方向へ偏向される。すなわち、本考案の一実施例による顎骨切除用鋸（３）は、通常顎骨の左側を切除する左側切除用鋸と右側を切除する右側切除用鋸、二つが一組となって使用されるが、左側切除用の場合には、前方からは図８に示されたように、屈折部（３０ｂ）が直線部（３０ａ）に対して右側に３０℃〜６０℃範囲内で、望ましくは４５℃偏向角に屈折されており、下方からは図９に示されたように、３０℃〜６０℃範囲内で望ましくは４５℃の偏向角を持つように屈折される。そして、図示していないが、右側切除用の場合には、屈折部（３０ｂ）が左側切除用とは反対に左側へ３０℃〜６０℃、下方へ３０℃〜６０℃の偏向角を持つように屈折される。
【００１４】
鋸刃部（３１）は顎骨（１０１）を直接的に切断するものとして、図６乃至図９から分かるように、前記シャンク（３０）の先端、すなわち前記屈折部（３０ｂ）先端に、その鋸刃（３１ａ）が垂直下方に向かいながら前記直線部（３０ａ）と平行に配置されるように結合される。これにより、図１０と図１１に示されたように、ジョー（４１）により直線往復運動するシャンク（３０）と一緒に直線往復運動しながらその下部の鋸刃（３１ａ）で顎骨（１０１）を切断するようになる。
【００１５】
以上のような構成により、本発明の一実施例による顎骨切除用鋸は、図１０と図１１に示されたように、口腔内切開された皮膚を通して屈折部（３０ｂ）が顔面を横切る方向へ下側に斜めに挿入された状態において、取っ手（４）に内装された電動器具によりジョー（４１）が直線往復運動することによって鋸刃部（３１）がシャンク（３０）と一体に直線往復運動しながら側方または正面へ突出された顎骨（１０１）の突出された部分を顔面の表面と略平行角度で斜めに切断する。従って、顎骨（１０１）の突出部分を顔の表面と略平行した角度で切断することができるので、顎骨（１０１）の突出された部分をその突出方向と関係なく顔面曲率と略類似した角度で切断し顎線を角張らないように綺麗な曲線型に矯正できるようにする。
【００１６】
以上のような本発明による顎骨切除用鋸を使用して顎成形手術を施行すると、外皮を切開せず口腔内側を切開して顎骨を切除できるので、目に見える傷痕ができず顎線を矯正することができる。
【００１７】
また、切除部位と外皮との顎線を肉眼で確認しながら顎骨を一度の切除作業を通して顔面と略平行な角度で斜めに切断し、かつ角張らないように切除できるので、熟練されていない場合においても顎骨を意図した通り短い時間内に、顎線を自然に矯正することができる。さらに、鋸刃が皮膚深くまで挿入されずに済むので、顎骨内側の筋肉組織や神経等の損傷に対する恐れも払拭できる。
【００１８】
さらに、本発明はクレームの中で定義されたような精神或いは本質的な特性から外れずに、いくつかの形式で具体化されたものであって、上記記述の詳細のうちのどれによってでも上記の記述の具体化が別段の定めがない限り制限されないが、追加されたクレームの中で定義されるようなその精神および範囲内で広く解釈されるべきことは理解されるべきである。したがって、クレーム範囲内にある、すべての変更および修正、あるいは、そのような範囲内の同等は、追加されたクレームによって包含されるように意図された。
【図面の簡単な説明】
【００１９】
次の図面は、本発明を容易に理解するための実施例であって、これにより、本発明を限定するものではない
【図１】従来顎骨切除用鋸の斜視図。
【図２】従来顎骨切除用鋸が装着された電動鋸の斜視図。
【図３】従来顎骨切除用鋸が装着された電動鋸の側面図。
【図４】従来顎骨切除用鋸が装着された電動鋸の使用状態を下から見た斜視図。
【図５】従来顎骨切除用鋸が装着された電動鋸の使用状態を上から見た斜視図。
【図６】本発明の一実施例による顎骨切除用鋸の斜視図。
【図７】本発明の一実施例による顎骨切除用鋸が装着された電動鋸の斜視図。
【図８】本発明の一実施例による顎骨切除用鋸の正面図。
【図９】本発明の一実施例による顎骨切除用鋸の側面図。
【図１０】本発明の一実施例による顎骨切除用鋸の使用状態を下から見た斜視図。
【図１１】本発明の一実施例による顎骨切除用鋸の使用状態を上から見た斜視図。
【国際公開パンフレット】
2004527356.tif 000003
2004527356.tif 000004
2004527356.tif 000005
2004527356.tif 000006
2004527356.tif 000007
2004527356.tif 000008
2004527356.tif 000009
2004527356.tif 000010
2004527356.tif 000011
2004527356.tif 000012
2004527356.tif 000013
2004527356.tif 000014
2004527356.tif 000015
2004527356.tif 000016
2004527356.tif 000017
2004527356.tif 000018
2004527356.tif 000019
2004527356.tif 000020
2004527356.tif 000021
【国際調査報告】
2004527356.tif 000022
2004527356.tif 000023